(57)【要約】      （修正有）【課題】ジーンズの色にマッチした色を容易に選択することができるとともに、簡易な取り付け作業で生地に固定できる、低コストで軽量なジーンズ用ボタンを提供する。【解決手段】ジーンズ用ボタンＡは、合成樹脂製のボタン本体１と、ジーンズの生地２を挟んでボタン本体とは反対側からボタン本体を生地に取り付けるリベット３で構成される。ボタン本体は、中央に開口を有することなく形成された頭部４と、頭部の裏面ｍに連設された筒状軸部５とから成り、リベットは、頭部６と、その裏面ｎ中央部から突出し先端側を先細り形状に形成した柱状軸部７とから成る。柱状軸部の側面Ｔには筒状軸部の内面Ｒに係止する係止部８が設けられており、ジーンズの生地に刺し通したリベットの柱状軸部をボタン本体の筒状軸部内に挿入して、係止部を筒状軸部の内面に係止させることにより、ボタン本体を生地に取り付ける。【選択図】図１
0003195954.tif 000002
【実用新案登録請求の範囲】
【請求項１】
合成樹脂製のボタン本体と、ジーンズの生地を挟んでボタン本体とは反対側からボタン本体を生地に取り付けるリベットとで構成され、前記ボタン本体は、中央に開口を有することなく形成された頭部と、頭部の裏面に連設された筒状軸部とから成り、前記リベットは、頭部と、その裏面中央部から突出し先端側を先細り形状に形成した柱状軸部とから成り、前記柱状軸部の側面には前記筒状軸部の内面に係止する係止部が設けられており、ジーンズの生地に刺し通した前記リベットの前記柱状軸部を前記ボタン本体における筒状軸部内に挿入した状態で、前記係止部を前記筒状軸部の内面に係止させることにより、ボタン本体を生地に取り付けるようにしたことを特徴とするジーンズ用ボタン。
【請求項２】
前記リベットは合成樹脂製であることを特徴とする請求項１に記載のジーンズ用ボタン。
【請求項３】
前記ボタン本体における頭部の表面に凹凸模様が形成されていることを特徴とする請求項１又は２に記載のジーンズ用ボタン。
【考案の詳細な説明】
【技術分野】
【０００１】
本考案は、ジーンズ用ボタンに関し、詳しくは、ボタン本体と、ジーンズの生地を挟んでボタン本体とは反対側からボタン本体を生地に取り付けるリベットとで構成されるジーンズ用ボタンに関するものである。
【背景技術】
【０００２】
図５にはジーンズ前中央ボタン（ジーンズ用ボタンの一例）Ａが示されており、これは特許文献１に記載されているとおり、合成樹脂製のボタン本体と合成樹脂製のリベットから成り、さらに、ボタン本体は、中央に円形の開口（比較的大きな穴）が形成された厚みのある円板状の頭部と、頭部の裏面に連設された筒状軸部とから主として構成され、一方、リベットは、頭部と、その裏面中央部から突出する円柱状軸部の先端側を先細り形状に形成したカシメ用の先鋭な突起とから構成されている。そして、特許文献１には、ジーンズの生地に刺し通したリベットの前記突起をボタン本体の前記筒状軸部内に挿入する一方、前記突起の先端部を、ボタン本体に形成されている前記開口に挿入されるボタン取り付け機のハンマーにて前記突起を打撃することにより前記筒状軸部内にカシメ止めすることが記載されている。
【先行技術文献】
【特許文献】
【０００３】
【特許文献１】実用新案登録第３１８９１７４号公報
【考案の概要】
【考案が解決しようとする課題】
【０００４】
しかしながら、特許文献１に記載されているジーンズ用ボタンでは、前記突起の先端部を前記筒状軸部内にカシメ止めすることから、ボタン本体の固定を簡単な作業で行えず、その分、製造能率が悪く、固定手段の簡略化が望まれている。
【０００５】
また、一般的に行われているジーンズ用ボタンの製作においてはボタン本体の頭部表面に凹凸模様を付けるために、予め、凹凸模様をプレス加工した材料金属板の二次加工によって金属製の化粧板を製造する必要がある。この化粧板は、例えばボタン本体の前記開口を隠すようにボタン本体の頭部上面を覆うものであり、二次加工等の工数が増え、殊に、色違いのボタン本体を製造する場合は、錆止めのメッキを施した後に、カラー塗装しなければならず、工数が著しく増大し、コスト面で不利であった。
【０００６】
さらに、現在のジーンズ業界ではデニム生地特有のブルー以外の色とりどりのカラー色のジーンズも流行になってきており、それぞれのカラー色のジーンズにマッチするように例えばジーンズ前中央ボタンのボタン本体を容易に色違いに作製できることも望まれている。
【０００７】
本考案は上述の事柄を考慮に入れてなされたものであり、ジーンズの色にマッチした色を容易に選択することができるとともに、簡易な取り付け作業で生地に固定できる、低コストで軽量なジーンズ用ボタンを提供することを目的としている。
【課題を解決するための手段】
【０００８】
上記目的を達成するため、本考案は、合成樹脂製のボタン本体と、ジーンズの生地を挟んでボタン本体とは反対側からボタン本体を生地に取り付けるリベットとで構成され、前記ボタン本体は、中央に開口を有することなく形成された頭部と、頭部の裏面に連設された筒状軸部とから成り、前記リベットは、頭部と、その裏面中央部から突出し先端側を先細り形状に形成した柱状軸部とから成り、前記柱状軸部の側面には前記筒状軸部の内面に係止する係止部が設けられており、ジーンズの生地に刺し通した前記リベットの前記柱状軸部を前記ボタン本体における筒状軸部内に挿入した状態で、前記係止部を前記筒状軸部の内面に係止させることにより、ボタン本体を生地に取り付けるようにしたことを特徴とするジーンズ用ボタン（請求項１）を提供する。
【０００９】
また、本考案は、前記リベットは合成樹脂製であることを特徴とする請求項１に記載のジーンズ用ボタン（請求項２）を提供する。
【００１０】
さらに、本考案は、前記ボタン本体における頭部の表面に凹凸模様が形成されていることを特徴とする請求項１又は２に記載のジーンズ用ボタン（請求項３）を提供する。
【考案の効果】
【００１１】
本考案では、リベットに形成されている柱状軸部の側面に、ボタン本体に形成されている筒状軸部の内面に係止する係止部を設けたことにより、ボタン本体の固定を行うためリベットに形成されている円柱状軸部の突起の先端部を筒状軸部内にカシメ止するよう構成された従来技術（特許文献１に記載されている考案）に比べて、ボタン本体の固定を簡易な係止手段で行うことができ、これによって、製造能率を向上できる。なお、本考案では、リベットに形成されている柱状軸部をボタン本体に形成されている筒状軸部内に挿入する前に、既に（予め）前記係止部が柱状軸部の側面に形成されている。これに対し、前記従来技術では、カシメ用の先鋭な突起をボタン本体に形成されている筒状軸部内に挿入した後に、前記突起にカシメ処理が施されており、本考案と前記従来技術とでは、ボタン本体の固定手段が異なるとともに、ボタン本体の固定の順序も挿入前後で逆になっている。  
【００１２】
また、本考案では、ボタン本体を合成樹脂製としたことにより、ボタン本体が単一の射出成型品となり、防錆用のメッキやカラー塗装が不要で、金型内面形状を変更するだけで、ボタン本体の頭部の表面に文字や図形などの凹凸模様を付けることが可能であり、材料樹脂の色の選択だけで、色違いのボタン本体を製造することが容易であり、これによって、異なるカラー色のジーンズにもそれぞれの色にマッチした色付きのボタン本体を提供することができ、デザイン性を向上できる。また、本考案では、例えば図１（ｂ）に示すように、リベット３における柱状軸部７の先細り部７ａの最大外径を、ボタン本体１における筒状軸部５の内径αよりも適宜の寸法だけ長く設定することにより、ボタン本体１を生地に固定した際、ジーンズ用ボタンＡが図１（ｃ）に示すように、膨らみ、これによりボタンＡの抜け止め効果を奏する。
【００１３】
さらに、ジーンズ用ボタンを製作するのに、ボタン本体と、リベットと、凹凸模様を付ける金属製の化粧板を含む少なくとも三部材の構成部品数を使用する場合に比べて、本考案では、合成樹脂製のボタン本体とリベットの二部材で構成されたジーンズ用ボタンであるため構成部品数を減少することができ、その分コスト安にできる。また、少なくともボタン本体とリベットの両方を金属製としているジーンズ用ボタンに比べて、合成樹脂製のボタン本体を設けた本考案の方が軽量なジーンズ用ボタンを提供することができる。
【図面の簡単な説明】
【００１４】
【図１】（ａ）は本考案の第１の実施形態における取り付け固定後の状態を示す断面図である。（ｂ），（ｃ）は上記実施形態における作用を示す図である。
【図２】（ａ）は上記実施形態で用いる合成樹脂製のボタン本体を示す平面図である。（ｂ）は図２（ａ）におけるＡ−Ａ線断面図である。（ｃ）は上記実施形態で用いる合成樹脂製のボタン本体を示す底面図である。
【図３】（ａ）は本考案の第２の実施形態で用いる合成樹脂製のボタン本体を示す平面図である。（ｂ）は図３（ａ）におけるＢ−Ｂ線断面図である。（ｃ）は上記第２の実施形態で用いる合成樹脂製のボタン本体を示す底面図である。
【図４】本考案の第３の実施形態で用いる合成樹脂製のボタン本体を示す斜視図である。
【図５】ジーンズ用ボタンの使用例を示す図である。
【考案を実施するための形態】
【００１５】
以下、図１、図２を用いて、本考案の第１の実施形態を説明する。
【００１６】
図１（ａ）、図２において、ジーンズ用ボタンＡは、合成樹脂製のボタン本体１と、例えばカラー色のジーンズＧ（図５参照）の生地２を挟んでボタン本体１とは反対側からボタン本体１を生地２に取り付ける合成樹脂製のリベット３とで構成されている。また、リベット３は金属製でもよい。そして、ボタン本体１は、中央に開口を有することなく形成された頭部４と、頭部４の裏面ｍに連設された筒状軸部５とから成る。なお、頭部４は、厚みＳのある、表面ｑが平らな（面一な）平坦面の円板状である。ボタン本体１の筒状軸部５の中央には、横断面円形で貫通しないリベット取り付け用の取り付け孔Ｈが穿設されている。つまり、筒状軸部５は、その中央に、リベット挿入側から順に、先細りテーパ形状のリベット入口用開口１１と開口１１より小径で適宜の長さの有底挿通孔１２とが同芯状に形成されてなる取り付け孔Ｈを有する。前記筒状軸部５の中央に形成された取り付け孔Ｈは筒状軸部５の中央を貫通しないよう有底状に形成されている。又、筒状軸部５の外側と取り付け孔Ｈの内部とを連通させる空気抜き穴が設けられている（図示せず）。一方、リベット３は、頭部６と、頭部６の裏面ｎ中央部から突出し先端側を先細り形状に形成した柱状軸部７とから成る。すなわち、柱状軸部７は、先鋭な先細り部７ａを有する。さらに、柱状軸部７の側面Ｔには筒状軸部５の内面Ｒに係止する係止部８が設けられている。この係止部８は、先細り部７ａの下側に周囲全周にわたる係止用の段差部（突起）である。なお、この実施形態において、ボタン本体１における筒状軸部５の内径α〔図１（ａ）、図１（ｂ）参照〕は、１．５ｍｍ〜２．２ｍｍが好ましく、リベット３における柱状軸部７の先細り部７ａの最大外径β〔図１（ｂ）参照〕は、筒状軸部５の内径αよりも０．８ｍｍ〜１．２ｍｍだけ大きいことが好ましい。このように寸法設定することにより、ボタン本体１を生地２に固定した際、ジーンズ用ボタンＡが図１（ｃ）に示すように、合成樹脂製のボタン本体１における筒状軸部５が膨らみ、これにより抜け止め効果を奏する。この作用は、ボタン本体１が合成樹脂製であるから得られるものであり、金属製ではこのようなボタン抜け止めの作用効果は奏することはない。
【００１７】
このジーンズ用ボタンＡでは、ジーンズＧの生地２に刺し通したリベット３の柱状軸部７をボタン本体１おける筒状軸部５内、すなわち、取り付け孔Ｈに挿入した状態で、係止部８を筒状軸部５の内面Ｒに係止させることにより、ボタン本体１を生地２に取り付けるように構成されている。さらに、この実施形態では、リベット頭部６の裏面ｎに小突起９が設けられている。なお、筒状軸部５の底面ｅにも小突状１０を設けた場合、小突起９と小突状１０とによって生地２は滑動が阻止され強固にボタンＡを生地２に取り付けることができる。なお、頭部４の平らな表面ｑにおける外縁部１３は曲面に形成されている。頭部４の裏面ｍにおける外縁部１４も曲面に形成されている。
【００１８】
また、ボタン本体１は、ポリアセタールなどの熱可塑性合成樹脂を用い、主として射出成形手段によって成形されており、ジーンズの色にマッチした色のものが用いられる。
【００１９】
而して、柱状軸部７を筒状軸部５内に挿入する前に、柱状軸部７の側面Ｔに既に（予め）係止部８が形成されており、生地２に刺し通した先細り部７ａを含む柱状軸部７をボタン本体１の中央に形成した筒状軸部５の取り付け孔Ｈに圧入させることにより、前記段差部（係止部）８が取り付け孔Ｈの内面に係止して、合成樹脂製のボタン本体１を生地２に固定することができる。
【００２０】
なお、上記実施形態では、係止部として段差部を採用したが、本考案ではこれに限らず、筒状軸部５の取り付け孔Ｈに圧入させることにより取り付け孔Ｈの内面に係止する形状のものであればよい。
【００２１】
上記第１の実施形態では、表面ｑが平らな頭部４を備えたボタン本体１を示した。
【００２２】
図３は、ボタン本体１の頭部４の表面ｑに、図形のデザイン（凹凸模様）を施した本考案の第２の実施形態を示す。図３において、図１、図２に示した符号と同一のものは、同一または相当物である。
【００２３】
例えば図３（Ｂ）において、前記凹凸模様は、環状突起２０、中央突起２１、頭部４の外縁部を一周する環状突起２２とから主として構成されている。この実施形態では、頭部４の表面ｑは平坦面ではなく、環状突起２０，２２間は中央から外側へ行くほど緩やかに下降するスロープ面２３に形成されている。このように、色付きのボタン本体１の頭部４の表面ｑに前記凹凸模様が形成されているので、ジーンズＧの美観、デザイン性を高めることができる。
【００２４】
図４は、ボタン本体１の頭部４の表面ｑに、複数の文字２５と凹凸模様を施した本考案の第３の実施形態を示す。図４において、図１、図２、図３に示した符号と同一のものは、同一または相当物である。
【符号の説明】
【００２５】
１    合成樹脂製のボタン本体
２    生地
３    リベット
４    ボタン本体の頭部
５    筒状軸部
６    リベットの頭部
７    柱状軸部
８    係止部
Ｇ    ジーンズ
ｍ，ｎ裏面
Ｔ    柱状軸部の側面
Ｒ    筒状軸部の内面
Ａ    ジーンズ用ボタン
【図１】
0003195954.tif 000003
【図２】
0003195954.tif 000004
【図３】
0003195954.tif 000005
【図４】
0003195954.tif 000006
【図５】
0003195954.tif 000007